(57)【要約】【課題】光を反射して宝石に入射させて宝石の輝きを増し、あるいは光を反射して保持具自体が宝石と渾然一体に輝くことにより、宝石の装飾効果を増すことができる宝石反射装飾保持具を提供する。【解決手段】宝石２の側面の少なくとも一部を保持する溝あるいは爪を有する本体３を有し、本体３は、宝石２の上面とほぼ同じ高さで宝石２の上面の周囲の少なくとも一部を包囲し、表面が凹凸１３，１４を有し反射面に形成された上面１２を有する。【選択図】図１
0003147398.tif 000002
【実用新案登録請求の範囲】
【請求項１】
宝石の側面の少なくとも一部を保持する溝あるいは爪を有する本体を有し、前記本体は、前記宝石の上面とほぼ同じ高さで前記宝石の上面の周囲の少なくとも一部を包囲し、表面が凹凸を有する反射面に形成された上面を有する、ことを特徴とする宝石反射装飾保持具。
【請求項２】
前記反射面に形成された上面は、前記宝石の上面の周囲と接する部分では前記宝石の上面とほぼ同じ高さを有し、前記宝石の上面の周囲から遠ざかるにつれて、宝石の上面より高くなり、前記宝石を有する中心部から外方に向かって登り勾配で全体として傾斜している傾斜面に形成されている、ことを特徴とする請求項１記載の宝石反射装飾保持具。
【請求項３】
前記本体は、前記宝石の下面に位置整合する部分に、前記本体を貫通する採光孔を有している、ことを特徴とする請求項１記載の宝石反射装飾保持具。
【請求項４】
前記反射面に形成された上面は前記宝石の上面の周囲の全部を包囲し、前記反射面に形成された上面の凹凸は、前記宝石を中心として放射状に刻設された山部と谷部を有する、ことを特徴とする請求項１記載の宝石反射装飾保持具。
【請求項５】
前記前記反射面に形成された上面の凹凸は、複数のカット面を有するこぶを複数配置してなる、ことを特徴とする請求項１記載の宝石反射装飾保持具。
【請求項６】
請求項１〜５のいずれかの宝石反射装飾保持具によって宝石を保持した装飾物品を固着してなる装飾装身具。
【考案の詳細な説明】
【技術分野】
【０００１】
本考案は、宝石の保持具に関し、特に、宝石を保持するとともに、周囲の光を反射して宝石に入射させて宝石の輝きを増し、あるいは宝石の光を反射して保持具自体も宝石と一体となって輝くことにより、装飾効果を増すことができる宝石反射装飾保持具に関する。
【背景技術】
【０００２】
従来から、金、プラチナなどの貴金属により形成した指輪やペンダントなどの装身具に宝石を石留めする手法は多種多様なものが提案されている。
【０００３】
これらの宝石を石留めする方法の例として、爪留め、伏せ込み、彫り留め、レール留め等が知られている。
【０００４】
図１２は、従来の爪留めによる宝石保持具を示している。
【０００５】
図１２の例では、宝石はラウンドヴリリアント形状のダイヤモンド３０からなる。
【０００６】
ダイヤモンド３０は、頂面のテーブル３１と、上面傾斜面であるファセット面３２と、図示しないガードル周部と、下面傾斜面であるパビリオン面３３と、最下部のキューレット３４を有している。
【０００７】
一方、宝石保持具３５は、リング状の本体３６と、上部爪３７と、下部爪３８とを有している。
【０００８】
宝石保持具３５の本体３６は、ダイヤモンド３０の外周を取り囲み、あるいは、内面上縁部によってダイヤモンド３０のガードル周部を支承し、あるいは、本体３６の内面に溝あるいは段部を有しダイヤモンド３０のガードル周部を支承している。
【０００９】
下部爪３８は、ダイヤモンド３０のパビリオン面３３に沿って曲げられ、ダイヤモンド３０が下方に脱落しないように係止している。
【００１０】
一方、上部爪３７は、ダイヤモンド３０のファセット面３２に沿って曲げられ、ダイヤモンド３０が上方に脱落しないように係止している。
【００１１】
図１３は、従来の彫り留めによる宝石保持具を示している。
【００１２】
図１３の例では、宝石は図１２と同じラウンドヴリリアント形状のダイヤモンド３０からなる。
【００１３】
ダイヤモンド３０は、図１２と同様に頂面のテーブル３１と、上面傾斜面であるファセット面３２と、下面傾斜面であるパビリオン面３３と、最下部のキューレット３４とを有している。図１３の例では、ダイヤモンド３０のガードル周部３９が示されている。
【００１４】
宝石反射装飾保持具４０は、本体４１を有し、本体４１にはダイヤモンド３０を装着する装着孔４２が設けられている。
【００１５】
装着孔４２の底部には、ダイヤモンド３０のキューレット３４と嵌合する凹部が設けられ、その内周上部には、ダイヤモンド３０のガードル周部４０を収容する大径部が設けられている。
【００１６】
彫り留めによる宝石保持具は、宝石反射装飾保持具４０の装着孔４２に、ダイヤモンド３０を入れ、ダイヤモンド３０のガードル周部４０を装着孔４２の内周上部の大径部に収容する。
【００１７】
しかる後に、たがね等により、本体４１の上面４３を打ちつけることにより、本体４１の上部の一部が変形してダイヤモンド３０のファセット面３２を係止する彫り留め４４になり、ダイヤモンド３０を保持することができる。
【００１８】
図１４は、デザインを施した台座に、彫り留めあるいは爪留めにより、宝石を保持した装飾装身具を示している。
【００１９】
台座４５は、金、銀、プラチナ等の貴金属で形成され、デザインを施され、複数のダイヤモンド３０を装着する装着孔を有している。
【００２０】
台座４５の装着孔にダイヤモンド３０が装着され、装飾装身具が完成する。この場合、装飾装身具の台座４５が宝石保持具を兼ねている。
【特許文献１】特開２００６−２６２９４０号公報
【特許文献２】特開２００３−１８０４２０号公報
【考案の開示】
【考案が解決しようとする課題】
【００２１】
しかし、従来の宝石保持具は、たとえば図１１〜１３に示すいずれの宝石保持具も、宝石保持具自体は主に宝石を保持するという機能を果たすものであり、宝石の装飾効果を増すということはなかった。
【００２２】
もっとも、たとえば図１３に示すような装飾装身具の宝石保持具のように、台座を金やプラチナなどの貴金属により形成し、その台座の意匠を凝らしてそれ自体一定の装飾効果を奏することはあった。
【００２３】
しかし、上記従来の宝石保持具は、それ自体が一定の装飾効果を奏することはあっても、宝石との相互作用で宝石の装飾効果を増すということはなかった。
【００２４】
ここにいう「宝石との相互作用で宝石の装飾効果を増す」とは、周囲の光を反射して宝石に入射させて宝石の輝きを増し、あるいは、宝石や周囲からの光を反射して保持具自体も宝石と渾然一体に輝くことにより、宝石の装飾効果を増すということである。
【００２５】
すなわち、従来の宝石保持具は、宝石とは別個にそれ自体一定の装飾効果を奏することはあったが、その装飾効果は主に宝石の美しさを引き立てる意味の装飾効果に過ぎず、周囲の光を反射して宝石に入射させることによって宝石の輝きを増し、あるいは、宝石からの光を反射して保持具自体も宝石と渾然一体となって輝くような、宝石との相互作用で宝石の装飾効果を増すものはなかった。
【００２６】
そこで、本考案が解決しようとする課題は、周囲の光を反射して宝石に入射させて宝石の輝きを増し、あるいは光を反射して保持具自体が宝石と渾然一体に輝くことにより、宝石の装飾効果を増すことができる宝石反射装飾保持具を提供することにある。
【課題を解決するための手段】
【００２７】
本考案による宝石反射装飾保持具は、
宝石の側面の少なくとも一部を保持する溝あるいは爪を有する本体を有し、前記本体は、前記宝石の上面とほぼ同じ高さで前記宝石の上面の周囲の少なくとも一部を包囲し、表面が凹凸を有する反射面に形成された上面を有する、ことを特徴とする。
【００２８】
前記反射面に形成された上面は、前記宝石の上面の周囲と接する部分では前記宝石の上面とほぼ同じ高さを有し、前記宝石の上面の周囲から遠ざかるにつれて、宝石の上面より高くなり、前記宝石を有する中心部から外方に向かって登り勾配で全体として傾斜している傾斜面に形成されているようにすることができる。
【００２９】
前記本体は、前記宝石の下面に位置整合する部分に、前記本体を貫通する採光孔を有しているようにすることができる。
【００３０】
前記反射面に形成された上面は前記宝石の上面の周囲の全部を包囲し、前記反射面に形成された上面の凹凸は、前記宝石を中心として放射状に刻設された山部と谷部を有するようにすることができる。
【００３１】
前記前記反射面に形成された上面の凹凸は、複数のカット面を有するこぶを複数配置してなるようにすることができる。
【００３２】
本考案による装飾装身具は、上記のいずれかの宝石反射装飾保持具によって宝石を保持した装飾物品を固着してなることを特徴とする。
【考案の効果】
【００３３】
本考案による宝石反射装飾保持具は、本体が、宝石の上面とほぼ同じ高さで前記宝石の上面の周囲の少なくとも一部を包囲し、表面が凹凸を有する反射面に形成された上面を有している。
【００３４】
すなわち、本考案の宝石反射装飾保持具の本体上面は、宝石の上面の周囲の少なくとも一部と接し、宝石を正面から見たときに宝石上面と連続面を形成し、かつ、その上面は表面が凹凸を有する反射面に形成されている。
【００３５】
この宝石上面と連続面をなす宝石反射装飾保持具の上面は、凹凸を有し、かつ、反射面になっているため、周囲の光を反射してそれ自体宝石のように輝き、あるいは、周囲の光を反射して宝石に入射させて宝石の輝きを増し、あるいは、宝石からの光を反射させて輝くことができる。
【００３６】
すなわち、本考案による宝石反射装飾保持具によれば、上述したように光を反射して宝石に入射させて光量を増すことにより、宝石の輝きを増し、あるいは、宝石や周囲からの光を反射してそれ自体も宝石と一体的に輝くことにより、宝石との相互作用で宝石の装飾効果を増すことができる。
【００３７】
また、本考案による宝石反射装飾保持具の上面が、光を反射してそれ自体が宝石と一体となって宝石のように煌めくことにより、擬似宝石面を形成し、実際の宝石より大きい宝石を装着しているように見え、安価で美しい装飾装身具を得ることができる。
【００３８】
宝石の下面に位置整合する部分に、本体を貫通する採光孔を有する本考案による宝石反射装飾保持具によれば、採光孔からの光が宝石の下面に入射し、上述したような反射面に形成された上面による反射光とあいまって、宝石に入射する光量が増加し、一層宝石の装飾効果を増すことができる。
【００３９】
宝石を有する中心部から外方に向かって登り勾配で全体として傾斜している傾斜面に形成されている上面を有する本考案の宝石反射装飾保持具によれば、反射面に形成されている上面が凹面鏡のようになり、周囲の光を集光して宝石に入射させ、より強く宝石の輝きを増すことができる。
【００４０】
また、上記傾斜面に形成されている上面は、宝石を挟んで合わせ鏡のようになり、より多くの光を反射させることができ、より強く宝石の装飾効果を増すことができる。
【００４１】
反射面に形成された上面の凹凸が、宝石を中心として放射状に刻設された山部と谷部を有するようにした本考案の宝石反射装飾保持具は、宝石を正面から見て全方位から入射される光をいずれかの凹凸面で観者の目に反射させることができる。
【００４２】
これにより、宝石が煌めく機会が多くなり、宝石の装飾効果を増すことができる。
【００４３】
反射面に形成された上面の凹凸が、複数のカット面を有するこぶを複数配置してなる本考案の宝石反射装飾保持具によれば、こぶのカット面が光を反射し、宝石の上面と見分けがつかなくなり、一層宝石と渾然一体に見え、擬似宝石面の効果を有し、宝石の装飾効果を増すことができる。
【００４４】
本考案の宝石反射装飾保持具は、宝石を保持し、宝石と渾然一体に輝くことにより、それ自体より大きなサイズの宝石に見せることができる。したがって、本考案の宝石反射装飾保持具によって宝石を保持したものを一つの装飾物品として取り扱うことができ、この宝飾物品をリングやペンダントヘッド等に装着して装飾装身具を形成することができる。
【００４５】
本考案によれば、上記装飾物品を取り込んで自由なデザインを行うことができ、応用の幅が広く、かつ、安価で美しい装飾装身具を提供することができる。
【考案を実施するための最良の形態】
【００４６】
次に、本考案による宝石反射装飾保持具の実施形態について以下に説明する。
【００４７】
図１〜４は本考案の第一実施形態による宝石反射装飾保持具を示している。図１は本考案の第一実施形態による宝石反射装飾保持具の斜視図を示している。図２は本考案の第一実施形態による宝石反射装飾保持具の側面を示している。図３は本考案の第一実施形態による宝石反射装飾保持具の正面を示している。図４は図３におけるＡ−Ａ方向に見た第一実施形態による宝石反射装飾保持具の断面を示している。
【００４８】
図１〜４において、符号１は宝石反射装飾保持具を示し、符号２は宝石を示している。
【００４９】
本実施形態では、宝石反射装飾保持具１は、全体として円板状の本体３を有する。
【００５０】
宝石２は、ダイヤモンドに限られないが、ここでは一例としてラウンドヴリリアント形状のダイヤモンドを用いて説明する。
【００５１】
図４にもっとも明らかに示すように、宝石２は、頂面であるテーブル４と、上面傾斜面であるファセット面５と、ガードル周部６と、下面傾斜面であるパビリオン面７と、最下部のキューレット８を有している。
【００５２】
宝石反射装飾保持具１の本体３は、図４にもっとも明らかに示すように、中心に貫通孔を有し、該貫通孔は上方が大径の宝石装着孔９になっており、下方が下面から光を取り入れる小径の採光孔１０になっている。
【００５３】
採光孔１０は宝石２の下面と位置整合している。
【００５４】
宝石装着孔９から採光孔１０への段部は、好ましくは宝石２のパビリオン面７の角度に整合するような傾斜面に形成されている。
【００５５】
宝石装着孔９の内面の一部は、宝石２のファセット面５に嵌合するように彫り留め１１になっている。なお、本実施形態では彫り留め１１は４ヵ所になっているが、むろん宝石２を石留めする任意の公知の方法、たとえば爪留め、全周にわたる彫り留め等を採用することができる。
【００５６】
これら石留めの任意の公知の方法は、いずれも宝石の側面の一部を保持する溝や爪を有しているため、本体３は、「宝石の側面の少なくとも一部を保持する溝あるいは爪を有する」ということができる。ここで、宝石の側面とは、観者に見せるように意図した面（上面）に対する側面をいうものとする。
【００５７】
宝石反射装飾保持具１の本体３の上面１２は、宝石２の上面とほぼ同じ高さで宝石２の上面の周囲を包囲し、表面が凹凸を有する反射面に形成されている。
【００５８】
上面１２を反射面に形成するため、金属の表面をダイヤモンドバイトで鏡面仕上げに切削することができる。また、凹凸を有するように形成した後に、反射層をコーティングすることもできる。
【００５９】
反射面に形成された上面１２は、宝石２の上面の周囲と接する部分では宝石２の上面とほぼ同じ高さを有し、宝石２の上面の周囲から遠ざかるにつれて、宝石の上面２より高くなり、宝石２を有する中心部から登り勾配で全体として傾斜している傾斜面に形成されている。
【００６０】
また、反射面に形成された上面１２は、宝石２の上面の周囲の全部を包囲し、反射面に形成された上面１２の凹凸は、宝石２を中心として放射状に刻設された山部と谷部を有している。
【００６１】
ここで、反射面に形成された上面１２は、宝石２の上面とほぼ同じ高さで宝石２の上面の周囲を包囲していると述べているが、「宝石２の上面とほぼ同じ高さ」とは次のような意味である。
【００６２】
宝石２は一般に観者に見えるようにカットされた面と、観者から見えない面を有しているが、本明細書において「宝石の上面」とは、観者に見えるように意図されてカットされた面をいうものとする。
【００６３】
「宝石の上面」は、観者に見えるように意図されてデザインされた面であれば含むため、複数のカット面を含む。たとえば、ダイヤモンドの例ではテーブル４とファセット面５の複数のカット面がすべて宝石の上面に含まれる。このため、「宝石２の上面とほぼ同じ高さ」は一義的に決定できないが、観者に見えるように意図されてデザインされた面の最下部から最上部よりわずかに上方の間のいずれかに位置であればよい。
【００６４】
換言すると、反射面に形成された上面１２は、宝石と見紛う擬似宝石面を形成する高さであればよく、具体的には、観者に見えるように意図されてデザインされた宝石の面の、最下部から最上部よりわずかに上方の間のいずれかの高さに位置している。
【００６５】
なお、ここにいう「高さ」とは、図４のように宝石を側面から見た場合の、もっとも幅広な側面部分（ダイヤモンドの場合のガードル周部）を基底とする高さである。
【００６６】
本実施形態における凹凸は、宝石２を中心として放射状に刻設された山部と谷部を有しているが、二重の山部と谷部を有している。
【００６７】
すなわち、宝石２を中心として放射状に刻設された連続した山部１３を有し、さらに、各山部１３の基部に先細りの谷部１４が刻設されている。
【００６８】
反射面に形成された上面１２は、宝石２を有する中心部から登り勾配で全体として傾斜している傾斜面に形成されているが、凹凸を有しているため、微視的に見れば各カット面が種々の方向に傾斜しているが、巨視的に見れば、全体として一つの傾斜面を形成している。
【００６９】
この巨視的な意味の傾斜面でいえば、本実施形態の反射面に形成された上面１２は、宝石２を中心に概略すり鉢状の傾斜面を形成しているということができる。
【００７０】
次に図４を用いて宝石反射装飾保持具１の作用効果を説明する。
【００７１】
図４において、矢印１５は、宝石２によって反射された光を示している。
【００７２】
矢印１６は、宝石反射装飾保持具１の反射面に形成された上面１２によって反射され、宝石２に入射する光を示している。
【００７３】
矢印１７は宝石２から発射され、反射面に形成された上面１２によって反射された光を示している。
【００７４】
矢印１８は、反射面に形成された上面１２によって反射された光を示している。
【００７５】
矢印１９は、採光孔１０から宝石２に入射する光を示している。
【００７６】
図４に示すように、本考案によれば、通常の宝石２からの反射光１５に、宝石２から発射されて宝石反射装飾保持具の上面１２によって反射された光１７と、宝石反射装飾保持具の上面１２自体が反射した光１８が加わり、全体としてより煌めくことが多くなる。
【００７７】
また、図４に示すように、宝石２に直接入射して反射される光に加え、宝石反射装飾保持具の上面１２によって反射された光１６や、採光孔１０から宝石２に入射する光１９が宝石２に入射し、宝石２に入射する光の光量が増加し、宝石２がより明るく輝くことができる。
【００７８】
上述したことから明なように、本考案の宝石反射装飾保持具の上面１２は、凹凸を有し、かつ、反射面に形成され、さらに、宝石２の上面と接して連続面をなしているため、宝石２と一体的に輝き、擬似宝石面のようになり、宝石２との相互作用で宝石２の装飾効果を増すことができる。
【００７９】
また、本考案の宝石反射装飾保持具の上面１２は、宝石２を中心として上り勾配の傾斜面に形成され、宝石２を中心としたすり鉢状の形状を有しているため、より多くの光を宝石２に集光し、さらに、宝石２を中心として合わせ鏡のようになり、より一層宝石２の装飾効果を増すことができる。
【００８０】
また、本第一実施形態によれば、反射面に形成された上面１２は、反射面に形成された上面１２の凹凸は、宝石２を中心として放射状に刻設された山部１３と谷部１４を有する。
【００８１】
このように、山部１３と谷部１４が宝石２を中心として放射状に設けられているため、宝石を正面から見て、すなわち図３の方向から見て、全方位からすなわち図３の紙面内の全方向から宝石２に入射される光が、山部１３か谷部１４のいずれかの傾斜面で反射され、観者の目に反射させることができる。
【００８２】
これにより、宝石が煌めく機会が多くなり、宝石の装飾効果を増すことができる。
【００８３】
次に、本考案による宝石反射装飾保持具の第二の実施形態について以下に説明する。
【００８４】
図５〜７は本考案の第二実施形態による宝石反射装飾保持具を示している。図５は第二実施形態による宝石反射装飾保持具の斜視図を示している。図６は第二実施形態による宝石反射装飾保持具の正面を示している。図７は図６におけるＢ−Ｂ方向に見た第二実施形態による宝石反射装飾保持具の断面を示している。
【００８５】
図５〜７において、図１〜４の同一部分には同一の符号を付し、重複する説明を省略する。
【００８６】
本第二実施形態の宝石反射装飾保持具２０は、反射面に形成された上面１２の凹凸が複数のカット面を有するこぶを複数配置してなる点において第一実施形態と異なる他は、第一実施形態と同じである。
【００８７】
図５〜７に示すように、本実施形態の凹凸は、不等辺の４角錐からなる比較的大きなこぶ２１と、同じく不等辺の４角錐からなる比較的小さなこぶ２２からなる。
【００８８】
上記のこぶ２１，２２は、宝石反射装飾保持具２０の上面１２に配置され、こぶ２１，２２のそれぞれのカット面は反射面に形成されている。
【００８９】
このため、こぶ２１，２２が色々な方向から入射される光を反射し、宝石２と見紛うようにきらきらと煌めき、擬似宝石面を形成することができる。
【００９０】
本実施形態によれば、宝石反射装飾保持具の上面１２が、宝石の上面と見分けがつかなくなり、宝石と渾然一体に見え、宝石の装飾効果を増すことができる。
【００９１】
なお、本実施形態の宝石反射装飾保持具の上面１２は、こぶ２１，２２を有し、巨視的に見れば、全体として平坦な面を形成している。
【００９２】
しかし、本実施形態の宝石反射装飾保持具の上面１２を、こぶ２１，２２を有し、宝石２の上面の周囲と接する部分では宝石２の上面とほぼ同じ高さを有し、宝石２の上面の周囲から遠ざかるにつれて、宝石２の上面より高くなり、宝石２を有する中心部から外方に向かって登り勾配で全体として傾斜している傾斜面に形成することもできる。
【００９３】
この場合には、前述したように、宝石２に対して集光し、かつ、宝石２を挟んで合わせ鏡のようになり、より一層宝石２の装飾効果を増すことができる。
【００９４】
次に、本考案による宝石反射装飾保持具の第三の実施形態について以下に説明する。
【００９５】
図８〜１０は本考案の第三実施形態による宝石反射装飾保持具を示している。図８は第三実施形態による宝石反射装飾保持具の斜視図を示している。図９は第三実施形態による宝石反射装飾保持具の正面を示している。図１０は図９におけるＣ−Ｃ方向に見た第三実施形態による宝石反射装飾保持具の断面を示している。
【００９６】
図８〜１０において、図１〜４の同一部分には同一の符号を付し、重複する説明を省略する。
【００９７】
本第三実施形態の宝石反射装飾保持具２３は、反射面に形成された上面１２の凹凸が、宝石を中心として放射状に刻設された山部と谷部を有するが、これらの山部と谷部が一重のみ設けられている点で、山部と谷部が二重に設けられている第一実施形態と異なる他は、第一実施形態と同じである。すなわち、第一実施形態の谷部１４を有していない点のみ相違する。
【００９８】
このように、山部１３（隣接する山部の間は自然と谷部になる）を一重のみ設けるようにしても、第一実施形態で説明した本考案の特有の作用効果を奏することができる一方、加工が簡単になり、廉価な装飾装身具を得ることができる。
【００９９】
次に、本考案の宝石反射装飾保持具を利用した装飾装身具について以下に説明する。
【０１００】
図１１に、本考案の宝石反射装飾保持具を利用した装飾装身具の一例を示す。
【０１０１】
図１１に示した装飾装身具２４は、本考案の第二実施形態の宝石反射装飾保持具２０に宝石を嵌着し、それをたとえばリング２５の一部に固定したものである。
【０１０２】
なお、図１１に示した宝石反射装飾保持具２０は、その側面にも反射面に形成された凹凸を設けている。
【０１０３】
これにより、宝石反射装飾保持具の上面のみならず、宝石反射装飾保持具の側面も煌めくことができ、より装飾効果を奏することができる。
【０１０４】
なお、宝石反射装飾保持具の本体３の側面にも反射面に形成された凹凸を設けることができる点は、上記第一ないし第三実施形態のいずれにも適用することができる。
【０１０５】
本考案による宝石反射装飾保持具は、宝石を保持することにより、一つの装飾物品を形成することができる。
【０１０６】
この装飾物品は、宝石反射装飾保持具が宝石と渾然一体に輝くことにより、全体として実際の宝石より大きなサイズの宝石に見せることができる。
【０１０７】
したがって、この装飾物品は廉価であり、リングやペンダントヘッド等に装着して装飾装身具を形成することができる。
【０１０８】
図１１の例では、宝石２を嵌着した宝石反射装飾保持具２０は、上面のみならず側面も光を反射して装飾的効果を有し、全体として一つの装飾物品になり、リング２５の本体に固定することにより、指輪を形成することができる。
【０１０９】
なお、むろん複数の本考案による装飾物品を組み合わせて一つの装飾物品を構成し、この装飾物品をリングやペンダントヘッド等に装着して装飾装身具を形成することができる。
【０１１０】
このように、本考案の装飾物品によれば、廉価であり、かつ、デザインの自由度が高く応用範囲が広い装飾装身具を得ることができる。
【０１１１】
なお、上記第一〜第三実施形態では、宝石反射装飾保持具は全体として円板状のものであってその中心に宝石を装着するものを使用して説明したが、むろん宝石反射装飾保持具は任意の形状とすることができ、かつ、中心に宝石を包囲するものに限られず、宝石の上面と連続面を形成するものであればよく、したがって、たとえば宝石の周囲の一部と接し宝石の周囲の一部を包囲するものであれば本考案の範疇に含まれる。
【図面の簡単な説明】
【０１１２】
【図１】本考案の第一実施形態による宝石反射装飾保持具の斜視図。
【図２】本考案の第一実施形態による宝石反射装飾保持具の側面図。
【図３】本考案の第一実施形態による宝石反射装飾保持具の正面図。
【図４】本考案の第一実施形態による宝石反射装飾保持具の断面図。
【図５】本考案の第二実施形態による宝石反射装飾保持具の斜視図。
【図６】本考案の第二実施形態による宝石反射装飾保持具の正面図。
【図７】本考案の第二実施形態による宝石反射装飾保持具の断面図。
【図８】本考案の第三実施形態による宝石反射装飾保持具の斜視図。
【図９】本考案の第三実施形態による宝石反射装飾保持具の正面図。
【図１０】本考案の第三実施形態による宝石反射装飾保持具の断面図。
【図１１】本考案の一実施形態による装飾装身具の斜視図。
【図１２】爪留めによる従来の宝石保持具を示した側面図。
【図１３】彫り留めによる従来の宝石保持具を示した側断面図。
【図１４】爪留めあるいは彫り留めによる宝石反射装飾保持具を含む従来の装飾装身具の断面図。
【符号の説明】
【０１１３】
１  宝石反射装飾保持具
２  宝石
３  本体
４  テーブル
５  ファセット面
６  ガードル周部
７  パビリオン面
８  キューレット
９  宝石装着孔
１０  採光孔
１１  彫り留め
１２  上面
１３  山部
１４  谷部
１５  反射光
１６  反射光
１７  反射光
１８  反射光
１９  入射光
２０  宝石反射装飾保持具
２１  こぶ
２２  こぶ
２３  宝石反射装飾保持具
２４  装飾装身具
２５  リング
３０  ダイヤモンド
３１  テーブル
３２  ファセット面
３３  パビリオン面
３４  キューレット
３５  宝石保持具
３６  本体
３７  上部爪
３８  下部爪
３９  ガードル周部
４０  宝石反射装飾保持具
４１  本体
４２  装着孔
４３  上面
４４  彫り留め
４５  台座
【図１】
0003147398.tif 000003
【図２】
0003147398.tif 000004
【図３】
0003147398.tif 000005
【図４】
0003147398.tif 000006
【図５】
0003147398.tif 000007
【図６】
0003147398.tif 000008
【図７】
0003147398.tif 000009
【図８】
0003147398.tif 000010
【図９】
0003147398.tif 000011
【図１０】
0003147398.tif 000012
【図１１】
0003147398.tif 000013
【図１２】
0003147398.tif 000014
【図１３】
0003147398.tif 000015
【図１４】
0003147398.tif 000016